(57)【要約】【課題】バッファ部の出力電圧によって供給される電源電圧が規定電圧以下に低下することを抑制できる負荷制御装置を提供する。【解決手段】負荷制御装置１は、スイッチング部２、スイッチ制御部４、整流回路１０、無線部５、バッファ部１４及び制御部１７を備える。スイッチング部２は、交流電源Ｂ１と負荷Ｑ１との間を導通及び遮断する。スイッチ制御部４は、スイッチング部２を制御する。整流回路１０は、交流電源Ｂ１から供給される交流電力を直流電力に変換する。無線部５は、整流回路１０で変換された直流電力を用いて動作する。バッファ部１４は、整流回路１０で変換された直流電力によって放電可能に蓄電され、蓄電された電力を前記直流電力として無線部５及びスイッチ制御部４に放電可能である。制御部１７は、バッファ部１４の出力電圧Ｖ４に基づいて無線部５を制御する。【選択図】図１
2020194347.tif 000002
【特許請求の範囲】
【請求項１】
交流電源と負荷との間を導通及び遮断することで、前記交流電源から前記負荷への電力の供給を制御して前記負荷を動作及び停止させるスイッチング部と、
前記スイッチング部を制御するスイッチ制御部と、
前記交流電源から供給される交流電力を直流電力に変換する変換部と、
前記変換部で変換された前記直流電力を用いて動作する付加機能部と、
前記変換部で変換された前記直流電力によって放電可能に蓄電され、蓄電された電力を前記直流電力として前記付加機能部に放電可能なバッファ部と、
前記バッファ部の出力電圧に基づいて前記付加機能部を制御する制御部と、を備える、
負荷制御装置。
【請求項２】
前記制御部は、前記バッファ部の前記出力電圧が低下するに連れて前記付加機能部の消費電力を低減するように、前記付加機能部を制御する、
請求項１に記載の負荷制御装置。
【請求項３】
前記付加機能部に供給される前記直流電力の電流を定電流化する定電流回路を備える、
請求項１又は２に記載の負荷制御装置。
【請求項４】
前記付加機能部は、外部の通信装置と無線通信を行う無線部である、
請求項１〜３の何れか１項に記載の負荷制御装置。
【請求項５】
前記付加機能部は、複数備えられ、
前記制御部は、前記バッファ部の出力電圧に応じて、前記複数の付加機能部のうち、直近に通信を行っていた一の付加機能部の動作を制限せず、他の付加機能部の動作を制限する、
請求項１〜４の何れか１項に記載の負荷制御装置。
【請求項６】
前記付加機能部に供給される前記直流電力の電圧を定電圧化する定電圧回路を備える、
請求項１〜５の何れか１項に記載の負荷制御装置。
【請求項７】
前記付加機能部は、前記負荷に関する情報を表示部を含む、
請求項１〜６の何れか１項に記載の負荷制御装置。
【請求項８】
前記制御部は、前記バッファ部の出力電圧が閾値電圧以下である場合は、前記付加機能部の動作を制限する、
請求項１〜７の何れか１項に記載の負荷制御装置。
【請求項９】
前記付加機能部は、供給される前記直流電力の電圧がリセット電圧以下になると再起動し、
前記閾値電圧は、前記リセット電圧よりも大きい、
請求項８に記載の負荷制御装置。
【請求項１０】
前記付加機能部は、複数備えられ、
前記閾値電圧は、前記複数の付加機能部の各々毎に設定されている、
請求項８又は９に記載の負荷制御装置。
【請求項１１】
前記付加機能部は、複数備えられ、
前記制御部は、前記バッファ部の出力電圧が閾値電圧以下になると、前記複数の付加機能部のうち、消費電力が一番の大きい付加機能部の動作を制限する、
請求項１〜１０の何れか１項に記載の負荷制御装置。
【請求項１２】
前記付加機能部は、複数備えられ、
前記制御部は、前記バッファ部の出力電圧に基づいて前記複数の付加機能部を互いに異なる制御内容で制御する、
請求項１〜１１の何れか１項に記載の負荷制御装置。
【請求項１３】
前記制御部は、前記バッファ部の出力電圧に応じて、前記付加機能部の動作を段階的に制限する、
請求項１〜１２に記載の負荷制御装置。
【請求項１４】
交流電源と負荷との間を導通及び遮断することで、前記交流電源から前記負荷への電力の供給を制御して前記負荷を動作及び停止させるスイッチング部と、
前記スイッチング部を制御するスイッチ制御部と、
前記交流電源から供給される交流電力を直流電力に変換する変換部と、
前記変換部で変換された前記直流電力を用いて動作する付加機能部と、
前記変換部で変換された前記直流電力によって放電可能に蓄電され、蓄電された電力を前記直流電力として前記付加機能部に放電可能なバッファ部と、
を備えた負荷制御装置を制御する負荷制御方法であって、
前記バッファ部の出力電圧に基づいて前記付加機能部を制御する制御処理を含む、
負荷制御方法。
【請求項１５】
コンピュータシステムに、
請求項１４に記載の負荷制御方法を実行させるためのプログラム。
【発明の詳細な説明】
【技術分野】
【０００１】
本開示は、一般に負荷制御装置、負荷制御方法及びプログラムに関し、より詳細には、交流電源から負荷への給電を制御する負荷制御装置、負荷制御方法及びプログラムに関する。
【背景技術】
【０００２】
特許文献１は、照明負荷を制御する２線式調光装置（負荷制御装置）を開示する。この２線式調光装置は、交流電源から照明負荷への給電路を開閉する２つのＦＥＴと、交流電源から供給された交流電力から直流電力を生成するダイオード（変換部）と、前記直流電力を平滑化するコンデンサ（バッファ部）と、コンデンサで平滑化された直流電力で動作し、ＦＥＴをオンオフ制御する制御回路と、を備えている。この２線式調光装置では、コンデンサの出力電圧によって電源電圧が供給される。
【先行技術文献】
【特許文献】
【０００３】
【特許文献１】特許第４６２０７７３号
【発明の概要】
【発明が解決しようとする課題】
【０００４】
上記の２線式調光装置では、コンデンサの出力電圧によって供給される電源電圧が規定電圧を下回ると、制御回路がリセットされる場合がある。制御回路がリセットされると、制御回路が再起動するまでの間、制御回路、したがって負荷制御装置が使用不可能になる。
【０００５】
本開示は、上記事由に鑑みて、バッファ部の出力電圧によって供給される電源電圧が規定電圧以下に低下することを抑制できる負荷制御装置、負荷制御方法及びプログラムを提供することを目的とする。
【課題を解決するための手段】
【０００６】
本開示の一態様に係る負荷制御装置は、スイッチング部と、スイッチ制御部と、変換部と、変換部と、付加機能部と、バッファ部と、制御部と、を備える。前記スイッチング部は、交流電源と負荷との間を導通及び遮断することで、前記交流電源から前記負荷への電力の供給を制御して前記負荷を動作及び停止させる。前記スイッチ制御部は、前記スイッチング部を制御する。前記変換部は、前記交流電源から供給される交流電力を直流電力に変換する。前記付加機能部は、前記変換部で変換された前記直流電力を用いて動作する。前記バッファ部は、前記変換部で変換された前記直流電力によって放電可能に蓄電され、蓄電された電力を前記直流電力として前記付加機能部に放電可能である。前記制御部は、前記バッファ部の出力電圧に基づいて前記付加機能部を制御する。
【０００７】
本開示の一態様に係る負荷制御方法は、スイッチング部と、スイッチ制御部と、変換部と、変換部と、付加機能部と、バッファ部と、を備えた負荷制御装置を制御する負荷制御方法である。前記スイッチング部は、交流電源と負荷との間を導通及び遮断することで、前記交流電源から前記負荷への電力の供給を制御して前記負荷を動作及び停止させる。前記スイッチ制御部は、前記スイッチング部を制御する。前記変換部は、前記交流電源から供給される交流電力を直流電力に変換する。前記付加機能部は、前記変換部で変換された前記直流電力を用いて動作する。前記バッファ部は、前記変換部で変換された前記直流電力によって放電可能に蓄電され、蓄電された電力を前記直流電力として前記付加機能部に放電可能である。前記負荷制御方法は、前記バッファ部の出力電圧に基づいて前記付加機能部を制御する制御処理を含む。
【０００８】
本開示の一態様に係るプログラムは、コンピュータシステムに、上記の一態様の負荷制御方法を実行させるためのプログラムである。
【発明の効果】
【０００９】
本開示は、バッファ部の出力電圧によって供給される電源電圧が規定電圧以下に低下することを抑制できる、という利点がある。
【図面の簡単な説明】
【００１０】
【図１】図１は、実施形態１に係る負荷制御装置の構成概略図である。
【図２】図２は、同上の負荷制御装置の制御部の構成概略図である。
【図３】図３Ａは、実施形態１の変形例２に係る負荷制御装置の構成概略図である。図３Ｂは、変形例２に係る負荷制御装置の変形例の構成概略図である。
【図４】図４は、実施形態２に係る負荷制御装置の制御部の動作を説明するフロチャートである。
【図５】図５は、実施形態３，４に係る負荷制御装置の構成概略図である。
【図６】図６は、実施形態５に係る負荷制御装置の構成概略図である。
【発明を実施するための形態】
【００１１】
以下、実施形態に係る負荷制御装置について説明する。下記の実施形態は、本開示の様々な実施形態の例に過ぎない。また、下記の実施形態は、本開示の目的を達成できれば、設計等に応じて種々の変更が可能である。
【００１２】
（実施形態１）
図１を参照して、実施形態１に係る負荷制御装置１について説明する。
【００１３】
図１に示すように、負荷制御装置１は、２線式の負荷制御装置である。負荷制御装置１は、交流電源Ｂ１と負荷Ｑ１との間に直列に接続されており、交流電源Ｂ１から負荷Ｑ１に供給される電力を制御する。負荷制御装置１は、交流電源Ｂ１からの電力で動作する。すなわち、交流電源Ｂ１からの電力で、負荷Ｑ１と負荷制御装置１とが動作する。
【００１４】
負荷制御装置１は、例えば、リモコン装置２０からの無線信号による制御信号によって制御可能である。すなわち、リモコン装置２０からの操作によって負荷制御装置１を制御することで、負荷Ｑ１の動作を制御可能である。
【００１５】
負荷Ｑ１は、例えば照明器具である。照明器具は、例えば、建物の屋内に設置されて屋内を照明する照明器具である。負荷Ｑ１は、２つの電源端子を有する。２つの電源端子に交流電源Ｂ１からの交流電力が入力される。
【００１６】
交流電源Ｂ１は、例えば、商用の交流電源である。交流電源Ｂ１は、２つの出力端を有する。一方の出力端は、電路Ｈ１を介して負荷Ｑ１の一方の電源端子に接続され、他方の出力端は、電路Ｈ２を介して負荷Ｑ１の他方の電源端子に接続されている。
【００１７】
負荷制御装置１は、スイッチング部２と、駆動回路３と、スイッチ制御部４と、無線部５（付加機能部）と、電源部６とを備えている。
【００１８】
スイッチング部２は、交流電源Ｂ１と負荷Ｑ１との間を導通及び遮断する。これにより、交流電源Ｂ１からの負荷Ｑ１への電力の供給を制御して負荷Ｑ１を動作及び停止させる。負荷Ｑ１を動作させるとは、負荷Ｑ１が照明器具である場合、負荷Ｑ１が点灯させることであり、負荷Ｑ１を停止させるとは、負荷Ｑ１が照明器具である場合、負荷Ｑ１を消灯させることである。スイッチング部２は、交流電源Ｂ１と負荷Ｑ１との間に直列に接続されている。すなわち、スイッチング部２は、電路Ｈ１に直列に接続されている。
【００１９】
スイッチング部２は、２つのスイッチング素子Ｍ１，Ｍ２を有する。２つのスイッチング素子Ｍ１，Ｍ２は、例えば半導体スイッチング素子であり、より詳細にはエンハンスメント形のＮチャンネルのＭＯＳＦＥＴ（Metal-Oxide-Semiconductor Field Effect Transistor）である。一方のスイッチング素子Ｍ１のドレインが交流電源Ｂ１の一方の出力端と電気的に接続されている。また、他方のスイッチング素子Ｍ２のドレインが負荷Ｑ１を介して交流電源Ｂ１の他方の出力端と電気的に接続されている。さらに、２つのスイッチング素子Ｍ１，Ｍ２のソース同士が電気的に接続されている。２つのスイッチング素子Ｍ１，Ｍ２のソースの接続点ＮＰ３は、接地点に接地されている。２つのスイッチング素子Ｍ１，Ｍ２のゲートは、駆動回路３に電気的に接続されている。駆動回路３は、スイッチ制御部４の制御に応じて、２つのスイッチング素子Ｍ１，Ｍ２をオン及びオフする。
【００２０】
各スイッチング素子Ｍ１，Ｍ２は、電路Ｈ１に直列に接続されており、電路Ｈ１を導通及び遮断する。一方のスイッチング素子Ｍ１は、交流電源Ｂ１の正の半サイクルにおいて導通し、他方のスイッチング素子Ｍ２は、交流電源Ｂ１の負の半サイクルにおいて導通する。つまり、負荷制御装置１は、各スイッチング素子Ｍ１，Ｍ２をオンオフすることにより、交流電源Ｂ１から負荷Ｑ１である照明器具に供給する交流電圧を位相制御し、照明器具を点灯及び調光する。例えば、各スイッチング素子Ｍ１，Ｍ２は、スイッチ制御部４の制御に応じて、交流電源Ｂ１の各半サイクルの始めにオン（導通）し、負荷Ｑ１の所望の輝度に応じて半サイクルの間の或る時刻にオフ（遮断）する。なお、各スイッチング素子Ｍ１，Ｍ２は、スイッチ制御部４の制御に応じて、交流電源Ｂ１の半サイクル内の所望の位相でオン（導通）し、その半サイクルの終わりでオフ（遮断）してもよい。
【００２１】
駆動回路３は、スイッチ制御部４の制御に応じて、スイッチング部２を駆動する。より詳細には、駆動回路３は、スイッチング部２の２つのスイッチング素子Ｍ１，Ｍ２のゲート・ソース間に駆動電圧を印加することで、２つのスイッチング素子Ｍ１，Ｍ２をオン（導通状態）とオフ（遮断状態）とに切り替える。
【００２２】
無線部５は、リモコン装置２０（外部の通信装置）との間で無線信号による通信（無線通信）を行う。無線部５は、リモコン装置２０から無線信号による制御信号を受信する。無線部５は、受信した制御信号をスイッチ制御部４に出力する。この出力により、無線部５は、スイッチ制御部４を制御する。なお、無線信号の信号媒体は、赤外線又は電波である。無線部５は、後述の制御部１７によって制御される。無線部５は、例えば、Ｂｌｕｅｔｏｏｔｈ（登録商標）、Ｚｉｇｂｅｅ（登録商標）、Ｗｉ−Ｆｉ（登録商標）、特定小電力無線の何れかであってもよい。
【００２３】
スイッチ制御部４は、無線部５の制御に応じて、駆動回路３を介してスイッチング部２をオンオフ制御する。これにより、負荷Ｑ１の点灯、消灯及び調光が制御される。
【００２４】
より詳細には、スイッチ制御部４は、交流電源Ｂ１からの交流電力の各半サイクル内でのオン期間の長さを制御する。オン期間とは、スイッチング部２がオンにされてからオフにされるまでの期間である。例えば、スイッチ制御部４は、交流電源Ｂ１からの交流電力の各半サイクルの始め（交流電力のゼロ交点）でスイッチング部２をオンに制御し、半サイクル内の所望の時点でスイッチング部２をオフにする。すなわち、スイッチ制御部４は、スイッチング部２をオフにするタイミングを制御することで、スイッチング部２のオン時間の長さを制御する。オン時間がゼロ又はゼロ以外の所望の長さに制御されることで、負荷Ｑ１が消灯又は点灯に切り替えられる。また、オン時間の長さが制御されることで、負荷Ｑ１が調光される。
【００２５】
なお、スイッチ制御部４は、交流電源Ｂ１からの交流電力の半サイクルの所望の時点でスイッチング部２をオンに制御し、その半サイクルの終わりでスイッチング部２をオフすることで、オン時間の長さを制御してもよい。
【００２６】
電源部６は、交流電源Ｂ１から供給される交流電力を直流電力に変換し、変換した直流電力を駆動回路３、スイッチ制御部４及び無線部５に供給する。すなわち、駆動回路３、スイッチ制御部４及び無線部５は、交流電源Ｂ１からの交流電力で動作する。
【００２７】
電源部６は、整流回路１０（変換部）と、定電圧回路１１と、定電流回路１２と、ＤＣ−ＤＣコンバータ１６（降圧回路）と、平滑コンデンサＣ１，Ｃ３と、バッファ部１４と、制御部１７とを備えている。
【００２８】
整流回路１０は、交流電源Ｂ１から供給される交流電力を直流電力に変換する。すなわち、整流回路１０は、交流電力から、駆動回路３、スイッチ制御部４及び無線部５に供給するための直流電力を生成する。整流回路１０は、２つの整流素子Ｄ１，Ｄ２を有する。各整流素子Ｄ１，Ｄ２のアノードは、電路Ｈ１において、スイッチング部２の両側の分岐点ＮＰ１，ＮＰ２に接続されている。各整流素子Ｄ１，Ｄ２のカソードは互いに接続されて、定電圧回路１１の入力端に接続されている。
【００２９】
整流回路１０は、分岐点ＮＰ１，ＮＰ２において、交流電源Ｂ１からの交流電力を入力し、入力した交流電力を直流電力に変換する。より詳細には、整流回路１０は、交流電源Ｂ１からの交流電力のサイクルが正の半サイクルのときは、分岐点ＮＰ１から交流電力を入力し、入力した交流電力を整流素子Ｄ１に通して整流して直流電力に変換する。また、整流回路１０は、交流電源Ｂ１からの交流電力のサイクルが負の半サイクルのときは、分岐点ＮＰ２から交流電力を入力し、入力した交流電力を整流素子Ｄ２に通して整流して直流電力に変換する。整流回路１０は、交流電源Ｂ１から供給される交流電圧を全波整流した脈流電圧（直流電圧）を定電圧回路１１に出力する。
【００３０】
定電圧回路１１は、整流回路１０から供給される脈流電圧を安定した直流電圧（例えば８０Ｖの直流電圧）に変換して定電圧化する。これにより、定電圧回路１１は、駆動回路３，スイッチ制御部４及び無線部５に供給される直流電圧を安定させる。より詳細には、定電圧回路１１は、整流回路１０からの直流電力の電圧Ｖ１の電圧値を所定の電圧値に変換して出力し、その出力電圧Ｖ２の電圧値を所定の電圧値に維持する。定電圧回路１１は、例えば、ツェナダイード、抵抗及び半導体スイッチ等で構成されている。
【００３１】
定電圧回路１１の後段には、平滑コンデンサＣ１が設けられている。より詳細には、平滑コンデンサＣ１は、定電圧回路１１の出力端と定電流回路１２の入力端との間の電路の分岐点と接地点との間に接続されている。
【００３２】
定電流回路１２は、定電圧回路１１からの直流電力（すなわち定電圧回路１１で制御された直流電力）の電流Ｉ２を所定の電流値に制御する。すなわち、定電流回路１２は、駆動回路３、スイッチ制御部４及び無線部５に供給される直流電流を定電流化する。より詳細には、定電流回路１２は、定電圧回路１１からの直流電力の電流Ｉ２の電流値を所定の電流値に変換して出力し、その出力電流Ｉ３の電流値を上記の所定の電流値に維持する。
【００３３】
定電流回路１２は、スイッチング部２の動作状態及び停止状態（すなわち負荷Ｑ１の点灯時及び消灯時）に応じて、定電圧回路１１の出力電流Ｉ２の電流値を、所定の電流値として、第１電流値（例えば０．５ｍＡ）と第２電流値（例えば３．０ｍＡ）とに切り替える。スイッチング部２の動作状態とは、スイッチング素子Ｍ１，Ｍ２をオンオフ制御して交流電源Ｂ１から負荷Ｑ１に供給される交流電圧を位相制御する状態であり、負荷Ｑ１を動作（点灯）させる状態である。スイッチング部２の停止状態とは、スイッチング素子Ｍ１，Ｍ２をオフ制御して交流電源Ｂ１から負荷Ｑ１への給電を停止する状態であり、負荷Ｑ１を停止（消灯）させる状態である。第２電流値は、第１電流値よりも大きい電流値である。より詳細には、定電流回路１２は、スイッチング部２の停止状態（すなわち負荷Ｑ１の消灯時）では、定電圧回路１１の出力電流Ｉ２の電流値を第１電流値に変換して出力し、その出力電流Ｉ３の電圧値を第１電流値に維持する。また、定電流回路１２は、スイッチング部の動作状態（すなわち負荷Ｑ１の点灯時）では、定電圧回路１１の出力電流Ｉ２の電流値を第２電流値に変換して出力し、その出力電流Ｉ３の電流値を第２電流値に維持する。定電流回路１２は、例えば、半導体スイッチ、バイアス抵抗、シャント抵抗、シャントレギュラータ等で構成されている。
【００３４】
バッファ部１４は、定電流回路１２の後段に設けられている。より詳細には、バッファ部１４は、定電流回路１２の出力端とＤＣ−ＤＣコンバータ１６の入力端との間の電路の分岐点ＮＰ４と接地点との間に接続されている。バッファ部１４は、バッファ用のコンデンサＣ２で構成されている。バッファ部１４は、定電流回路１２の出力電圧Ｖ３で充電される。すなわち、バッファ部１４は、定電流回路１２の出力電力（出力電流Ｉ３）を充放電可能なエネルギーとして蓄電する。なお、定電流回路１２の出力電力は、整流回路１０で変換された直流電力が元になっているので、バッファ部１４は、整流回路１０で変換された直流電力で放電可能に充電されるといえる。バッファ部１４は、定電流回路１２の出力電流Ｉ３が不足するとき、充電電荷（充電電力）を定電流回路１２の出力電流Ｉ３として放電可能である。これにより、定電流回路１２の出力電流Ｉ３の不足分が補われる。なお、バッファ部１４の出力電圧Ｖ４は、電源電圧として、ＤＣ−ＤＣコンバータ１６を介して、駆動回路３，スイッチ制御部４及び無線部５に供給される。バッファ部１４の出力電圧Ｖ４は、バッファ部１４の蓄電電荷（蓄電電力）に比例する。
【００３５】
ＤＣ−ＤＣコンバータ１６は、定電流回路１２から出力された直流電力の電圧Ｖ３の電圧値を所定の電圧値（例えば３．３Ｖ）に降圧し、降圧した直流電力を、スイッチ制御部４、無線部５及び駆動回路３に供給する。すなわち、スイッチ制御部４、無線部５及び駆動回路３は、ＤＣ−ＤＣコンバータ１６の出力電力を用いて動作する。ＤＣ−ＤＣコンバータ１６の出力電力は、整流回路１０で変換された直流電力が元になっているので、スイッチ制御部４、無線部５及び駆動回路３は、整流回路１０で変換された直流電力で動作するといえる。上記の所定の電圧値（例えば３．３Ｖ）は、スイッチ制御部４、無線部５及び駆動回路３が要求する要求電圧の一例である。
【００３６】
ＤＣ−ＤＣコンバータ１６の後段には、平滑コンデンサＣ３が設けられている。より詳細には、平滑コンデンサＣ３は、ＤＣ−ＤＣコンバータ１６の出力端と接地点との間に接続されている。
【００３７】
制御部１７は、バッファ部１４の出力電圧Ｖ４に基づいて、無線部５を制御する。すなわち、制御部１７は、バッファ部１４の出力電圧Ｖ４に基づいて、無線部５の動作内容を決定する。なお、バッファ部１４の出力電圧Ｖ４とは、バッファ部１４の２つの電極の間の電圧である。
【００３８】
より詳細には、制御部１７は、バッファ部１４の出力電圧Ｖ４が低下するに連れて無線部５の消費電力を低減するように、無線部５を制御する。更に詳細には、制御部１７は、バッファ部１４の出力電圧Ｖ４が閾値電圧以上であるか否かを検出（すなわち監視）する。なお、バッファ部１４の出力電圧Ｖ４は、バッファ部１４の充電電荷に比例する。このため、バッファ部１４の出力電圧Ｖ４を検出することは、バッファ部１４の蓄電電荷を検出することと等価である。
【００３９】
そして、バッファ部１４の出力電圧Ｖ４が閾値電圧を超える場合は、制御部１７は、無線部５を通常動作で動作させる。通常動作とは、無線部５の動作を制限せずに送信及び受信の両方が可能に無線部５を動作させることである。また、制御部１７は、バッファ部１４の出力電圧Ｖ４が閾値電圧以下である場合は、無線部５の動作を制限する。制御部１７は、無線部５の動作の制限の一例として、無線部５を停止させる。
【００４０】
上記の閾値電圧は、例えば、スイッチ制御部４及び無線部５の各々のリセット電圧よりも大きい電圧である。スイッチ制御部４のリセット電圧とは、スイッチ制御部４内のマイコン（マイクロコンピュータ）がリセットされて再起動する電圧である。すなわち、スイッチ制御部４内のマイコンは、供給される電圧がリセット電圧以下になると再起動する。同様に、無線部５のリセット電圧とは、無線部５内のマイコンがリセットされて再起動する電圧である。すなわち、無線部５内のマイコンは、供給される電圧がリセット電圧以下になると再起動する。
【００４１】
なお、本実施形態では、スイッチ制御部４及び無線部５はそれぞれ、例えばマイコンで構成されている。スイッチ制御部４及び無線部５は、定電流回路１２の出力電圧（すなわちバッファ部１４の出力電圧Ｖ４）が低下して、スイッチ制御部４及び無線部５に供給される電力の電圧がリセット電圧を下回ると、自動的にリセットして再起動する。
【００４２】
制御部１７は、図２に示すように、例えば比較回路として構成されている。比較回路は、２つの入力部１７ａ，１７ｂと、１つの出力部１７ｃとを有する。一方の入力部１７ａは、バッファ部１４の２つの電極のうちの高電位側の電極に電気的に接続されている。これにより、一方の入力部１７ａには、バッファ部１４の出力電圧Ｖ４が入力される。他方の入力部１７ｂには、基準電圧として閾値電圧Ｖrefが入力されている。出力部１７ｃは、無線部５に電気的に接続されている。すなわち、比較回路は、２つの入力部１７ａ，１７ｂに入力された２つの電圧（バッファ部１４の出力電圧Ｖ４と閾値電圧Ｖref）を比較する。そして、制御部１７は、その比較の結果、バッファ部１４の出力電圧Ｖ４が閾値電圧Ｖrefよりも大きい場合は、出力部１７ｃからＨレベル信号を出力する。また、制御部１７は、上記の比較の結果、バッファ部１４の出力電圧Ｖ４が閾値電圧Ｖref以下である場合は、出力部１７ｃからＬレベル信号を出力する。これに対し、無線部５は、制御部１７からＨレベル信号を受信する場合は、通常動作で動作し、Ｌレベル信号を受信する場合は、動作を制限（例えば停止）する。なお、Ｈレベル信号は、無線部５を通常動作で動作させるための制御信号の一例であり、Ｌレベル信号は、無線部５を停止させるための制御信号の一例である。本実施形態では、制御部１７は、比較回路として構成されることで、バッファ部１４の出力電圧Ｖ４を検出する電圧検出回路として機能している。
【００４３】
次にこの負荷制御装置１の動作を説明する。この負荷制御装置１では、交流電源Ｂ１からの交流電力が電源部６に入力される。そして、電源部６に入力された交流電力は、整流回路１０で整流されて直流電力に変換される。そして、その変換された直流電力は、定電圧回路１１で所定の電圧値（例えば８０Ｖ）に維持され、定電流回路１２で所定の電流値（第１電流値又は第２電流値）に維持され、ＤＣ−ＤＣコンバータ１６で所定の電圧値（例えば３．３Ｖ）に降圧される。そして、ＤＣ−ＤＣコンバータ１６で降圧された直流電力は、駆動回路３、スイッチ制御部４及び無線部５に供給される。この電力供給によって、駆動回路３、スイッチ制御部４及び無線部５が動作する。また、定電流回路１２の出力電圧Ｖ３によってバッファ部１４が充電される。そして、駆動回路３、スイッチ制御部４及び無線部５の消費電流が増加して、定電流回路１２の出力電流Ｉ３が不足すると、その不足分を補うように、バッファ部１４の充電電荷（充電電力）が、定電流回路１２の出力電流Ｉ３として放電される。そして、この放電電流が、出力電流Ｉ３として、駆動回路３、スイッチ制御部４及び無線部５に供給される。これにより、駆動回路３、スイッチ制御部４及び無線部５に供給される電力の不足を抑制できる。
【００４４】
本実施形態では、第１電流値（負荷Ｑ１の消灯時の定電流回路１２の出力電流Ｉ３の電流値）は、一例として、０．５ｍＡに設定される。この設定は、負荷Ｑ１の消灯時では、負荷Ｑ１への給電を制御するための回路（例えばスイッチ制御部４及び無線部５）の消費電流が０．７ｍＡ以下の場合は、負荷Ｑ１は誤点灯しないことを前提する。そして、この場合において少し余裕を持たせて、第１電流値が０．５ｍＡに設定されている。
【００４５】
第１電流値が０．５ｍＡである場合は、定電流回路１２の出力電圧が５０Ｖとすると、定電流回路１２の出力電力は、２５ｍＷ（＝０．５ｍＡ×５０Ｖ）である。そして、ＤＣ−ＤＣコンバータ１６の効率を８０％とすると、ＤＣ−ＤＣコンバータ１６の出力電力は、２０ｍＷ（＝２５ｍＷ×８０％）である。この場合、スイッチ制御部４及び無線部５で消費可能な消費電流は、約６ｍＡである。この場合、スイッチ制御部４及び無線部５の消費電流が瞬間的に６ｍＡを超えると、バッファ部１４の充電電荷が放電されて、定電流回路１２の出力電流Ｉ３が第１電流値（０．５ｍＡ）に維持される。
【００４６】
また、本実施形態では、一例として、第２電流値（負荷Ｑ１の点灯時の定電流回路１２の出力電流Ｉ３の電流値）は、一例として、比較的低い電流値である５．０ｍＡに設定される。これにより、負荷Ｑ１の点灯時では、負荷Ｑ１から見たインピーダンスが小さくなる。この結果、スイッチ制御部４及び無線部５の消費電流が大きい場合に、スイッチ制御部４及び無線部５の消費電流が変動しても、負荷Ｑ１を、ちらつきの無い安定した点灯状態に維持できる。
【００４７】
また、この負荷制御装置１では、バッファ部１４の出力電圧Ｖ４が閾値電圧Ｖrefを超える場合は、制御部１７は、無線部５の動作を制限することなく（すなわち通常動作で）無線部５を動作させる。他方、バッファ部１４の出力電圧Ｖ４が閾値電圧Ｖref以下である場合は、制御部１７は、無線部５の動作を制限（例えば停止）する。これにより、無線部５の消費電力が抑制される。この結果、バッファ部１４の出力電圧Ｖ４が規定電圧（例えばリセット電圧）以下になることを抑制できる。そして、制御部１７は、バッファ部１４の出力電圧Ｖ４が閾値電圧Ｖrefを超えると、無線部５を通常動作で動作させる。
【００４８】
以上、この実施形態に係る負荷制御装置１によれは、バッファ部１４の放電電荷によって、スイッチ制御部４及び無線部５の消費電力の変動を吸収できる。これにより、スイッチ制御部４及び無線部５の消費電力の変動による負荷Ｑ１の誤動作を抑制できる。さらに、無線部５がバッファ部１４の出力電圧Ｖ４に基づいて制御される。このため、バッファ部１４の出力電圧Ｖ４によって供給される電源電圧が低下して規定電圧（例えばリセット電圧）以下になることを抑制できる。すなわち、スイッチ制御部４及び無線部５がリセットされて再起動すると、スイッチ制御部４及び無線部５は、リセットされて再起動するまでの一定時間、使用不可能になる。上記のように、バッファ部１４の出力電圧Ｖ４によって供給される電源電圧が規定電圧以下になることが抑制されることで、スイッチ制御部４及び無線部５が一定時間、使用不可能になることを抑制できる。
【００４９】
（実施形態１の変形例、及び他の実施形態）
実施形態１は、本発明の様々な実施形態の一つに過ぎない。実施形態１は、本発明の目的を達成できれば、設計等に応じて種々の変更が可能である。さらに、実施形態１に係る態様は、負荷制御装置１で具現化されることに限らない。例えば、負荷制御方法、コンピュータプログラム、又はプログラムを記憶した記憶媒体等で、実施形態１に係る態様が具現化されてもよい。以下に説明する実施形態１の変形例及び他の実施形態（変形例を含む）は、適宜組み合わせて適用可能である。
【００５０】
上記の負荷制御方法は、スイッチング部２と、スイッチ制御部４と、整流回路１０（変換部）と、付加機能部５，５Ａ，５Ｂ，７と、バッファ部１４と、制御部４と、を備えた負荷制御装置１を制御する負荷制御方法である。スイッチング部２は、交流電源Ｂ１と負荷Ｑ１との間を導通及び遮断することで、交流電源Ｂ１から負荷Ｑ１への電力の供給を制御して負荷Ｑ１を動作及び停止させる。スイッチ制御部４は、スイッチング部２を制御する。整流回路１０は、交流電源Ｂ１から供給される交流電力を直流電力に変換する。付加機能部５，５Ａ，５Ｂ，７は、整流回路１０で変換された直流電力を用いて動作する。バッファ部１４は、整流回路１０で変換された直流電力によって放電可能に蓄電され、蓄電された電力を直流電力として付加機能部５，５Ａ，５Ｂ，７に放電可能である。負荷制御方法は、バッファ部１４の出力電圧Ｖ４に基づいて付加機能部５，５Ａ，５Ｂ，７を制御する制御処理を含む。
【００５１】
（変形例１）
実施形態１では、付加機能部が無線部５である場合を例示する。ただし、付加機能部は無線部５に限定されず、整流回路１０で電力変換された直流電力で動作する処理部であれば、どのような処理部であってもよい。例えば、付加機能部は、表示部又は音声認識部であってもよいし、スイッチ制御部と異なる動作を行う処理部であってもよい。なお、表示部は、例えば負荷Ｑ１に関する情報を表示可能な装置である。音声認識部は、利用者が負荷Ｑ１に対する操作を音声入力するための装置である。
【００５２】
（変形例２）
実施形態１では、定電圧回路１１、定電流回路１２及びＤＣ−ＤＣコンバータ１６を備えるが、図３Ａに示すように、各回路１２，１３，１６の全部を備えなくてもよい。図３Ａの例の場合は、整流回路１０の出力電流によって直接、バッファ部１４が充放電可能に充電される。そして、バッファ部１４の放電電力が直接、スイッチ制御部４及び無線部５に供給される。また、各回路１２，１３，１６の何れか１つ又は何れか２つを備えるだけでもよい。例えば、各回路１２，１３，１６のうち定電流回路１２だけを備える場合は、図３Ｂに示すように構成される。図３Ｂの例の場合は、整流回路の出力電流が直接定電流回路に入力される。そして、図３Ａの場合と同様に、バッファ部１４の放電電力が直接、スイッチ制御部４及び無線部５に供給される。
【００５３】
（変形例３）
実施形態１において、制御部１７は、例えばプロセッサ及びメモリを主構成とするマイクロコンピュータにて構成されてもよい。つまり、制御部１７は、プロセッサ及びメモリを有するコンピュータシステムにて実現されてもよい。この場合、プロセッサが適宜のプログラムを実行することにより、コンピュータシステムが制御部１７として機能する。プログラムは、メモリに予め記録されていてもよいし、インターネット等の電気通信回線を通じて、又はメモリカード等の非一時的な記録媒体に記録されて提供されてもよい。同様に、スイッチ制御部４及び無線部５（付加機能部）も、例えばプロセッサ及びメモリを主構成とするマイクロコンピュータにて構成されてもよい。
【００５４】
（実施形態２）
実施形態２は、実施形態１と比べて、無線部５の動作が、バッファ部１４の出力電圧Ｖ４に応じて段階的に制限される点が異なる。実施形態２に係る負荷制御装置１は、図１に示すように実施形態１と同様に構成されている。
【００５５】
実施形態２では、制御部１７は、互いに異なる電圧である複数（例えば２つ）の閾値電圧Ｖref1，Ｖref2（Ｖref1＞Ｖref2）を有する。制御部１７は、バッファ部１４の出力電圧Ｖ４と２つの閾値電圧Ｖref1，Ｖref2の各々との大小比較を行って、その比較結果を無線部５に出力する。無線部５は、制御部１７からの比較結果に応じて段階的に動作を制限する。
【００５６】
無線部５は、複数（例えば３つ）の動作モードを有する。複数の動作モードは、通常モード、送信禁止モード、及び受信禁止モードを含む。通常モードは、無線部５の送信及び受信の両方を可能なモード（すなわち無線部５の動作を制限しないモード）である。送信禁止モードは、無線部５の送信及び受信のうち送信を禁止して受信のみ可能なモードである。受信禁止モードは、無線部５の送信及び受信のうち受信を禁止して送信のみ可能なモードである。
【００５７】
本実施形態では、無線部５の受信による消費電力は、無線部５の送信による消費電力よりも小さい。このため、通常モード、受信禁止モード、及び送信禁止モードの順に消費電力が小さくなる。
【００５８】
無線部５は、図４に示すように、制御部１７からの比較結果に応じて、３つの動作モードの中から段階的に動作を制限する。図４の例では、無線部５は、バッファ部１４の出力電圧Ｖ４の低下に応じて段階的に消費電力が小さくなるように、無線部５の動作モードを制限する。すなわち、制御部１７の比較結果が、バッファ部１４の出力電圧Ｖ４が閾値電圧Ｖref1よりも大きいという内容である場合（Ｓ１：Ｙｅｓ）は、無線部５は、通常モードで動作する（Ｓ２）。すなわち、バッファ部１４の出力電圧Ｖ４が十分に高いため、無線部５は、制限なしで動作する。そして、処理がステップＳ１に戻る。また、制御部１７の比較結果が、バッファ部１４の出力電圧Ｖ４が閾値電圧Ｖref1以下で（Ｓ１：Ｎｏ）かつ閾値電圧Ｖref2よりも大きい（Ｓ３：Ｙｅｓ）という内容である場合は、バッファ部１４の出力電圧Ｖ４が少し低下するため、無線部５は、受信禁止モードで動作する（Ｓ４）。そして、処理がステップＳ１に戻る。また、制御部１７の比較結果が、バッファ部１４の出力電圧Ｖ４が閾値電圧Ｖref2以下であるという内容である場合（Ｓ３：Ｎｏ）は、バッファ部１４の出力電圧Ｖ４がかなり低下したため、無線部５は、消費電力が一番小さい送信禁止モードで動作する（Ｓ５）。そして、処理がステップＳ１に戻る。
【００５９】
このように、バッファ部１４の出力電圧Ｖ４に応じて段階的に無線部５の動作を制限することで、無線部５を完全に停止することを回避できる。
【００６０】
なお、実施形態２では、３つの動作モードを有する場合を例示するが、動作モードの数は、３つに限定されない。例えば、２つの動作モード（例えば通常モード及び送信禁止モード）を有する場合は、閾値電圧は１つとなる。この場合、バッファ部１４の出力電圧Ｖ４が閾値電圧を超える場合は、無線部５は、通常モードで動作し、バッファ部１４の出力電圧Ｖ４が閾値電圧以下である場合は、無線部５は、送信禁止モードで動作する。すなわち、バッファ部１４の出力電力Ｖ４が低下したとき、送信を禁止して受信を作動させる。これにより、送信機能よりも消費電力の小さい受信機能をより長い時間動作させることができる。
【００６１】
（実施形態３）
図５に示すように、実施形態３に係る負荷制御装置１は、実施形態１において、複数の付加機能部（例えば２つの無線部５Ａ，５Ｂ）を備えている。２つの無線部５Ａ，５Ｂは、例えば、互いに周波数及び通信方式の少なくとも一方が異なっている。２つの無線部５Ａ，５Ｂは、例えばＢｌｕｅｔｏｏｔｈ、Ｚｉｇｂｅｅ、Ｗｉ−Ｆｉ及び特定小電力無線のうちの異なる２つの通信方式であってもよい。本実施形態では、無線部５Ａは、例えばＢｌｕｅｔｏｏｔｈであり、無線部５Ｂは、例えば特定小電力無線である。
【００６２】
本実施形態の制御部１７は、バッファ部１４の出力電圧Ｖ４が閾値電圧を超える場合は、２つの無線部５Ａ，５Ｂを通常モードで動作させる。なお、通常モードとは、動作を制限せずに送信及び受信の両方が可能なモードである。他方、制御部１７は、バッファ部１４の出力電圧Ｖ４が閾値電圧以下である場合は、２つの無線部５Ａ，５Ｂのうち、一方の無線部（直近に通信を行った無線部）を通常モードで動作させ（すなわち動作を制限せず）、他の無線部の動作を制限（例えば停止）させる。これにより、直近に通信を行っていた方の無線部をより長い期間、通常モードで使用可能である。なお、「直近に通信を行った」とは、時系列的に一番最後に通信を行ったという意味である。また、制御部１７は、２つの無線部５Ａ，５Ｂの各々の通信履歴を保存しており、その通信履歴から、２つの無線部５Ａ，５Ｂのうち、直近に通信を行った無線部を特定する。
【００６３】
（実施形態４）
実施形態３では、バッファ部１４の出力電圧Ｖ４が閾値電圧以下である場合は、複数の無線部５Ａ，５Ｂのうち、直近に通信を行った無線部を通常モードで動作させ、他の無線部の動作を制限（例えば停止）する。これに対し、本実施形態では、バッファ部１４の出力電圧Ｖ４が閾値電圧以下である場合は、複数の無線部５Ａ，５Ｂのうち、消費電力の一番大きい無線部５Ａの動作を制限（例えば停止）し、他の無線部５Ｂを通常モードで動作させる。これにより、複数の無線部５Ａ，５Ｂのうちの他の無線部５Ｂをより長い期間動作させることができる。なお、本実施形態でも、実施形態３と同様に、バッファ部１４の出力電圧Ｖ４が閾値電圧を超える場合は、制御部１７は、複数の無線部５Ａ，５Ｂを通常モードで動作させる。なお、本実施形態の負荷制御装置１も、図５に示すように実施形態３と同様に構成されている。
【００６４】
（実施形態５）
図６に示すように、本実施形態に係る負荷制御装置１は、実施形態１において、複数（例えば２つ）の付加機能部５，７を備えている。本実施形態では、付加機能部５は、例えば、実施形態１と同様に無線部であり、付加機能部７は、例えば、負荷Ｑ１に関する各種の情報を表示する表示部である。以後、付加機能部５，７をそれぞれ無線部５及び表示部７とも記載する。表示部７は、制御部１７の制御に応じて、表示画面の輝度を２段階（高輝度及び低輝度）に切り替え可能である。
【００６５】
また、本実施形態の制御部１７は、複数（例えば２つ）の閾値電圧Ｖref3，Ｖref4を有する。複数の閾値電圧Ｖref3，Ｖref4はそれぞれ、複数の付加機能部５，７に対応している。すなわち、複数の付加機能部５，７の各々毎に閾値電圧Ｖref3，Ｖref4が設定されている。本実施形態では、２つの閾値電圧Ｖref3，Ｖref4は、例えば互いに異なる電圧である。
【００６６】
制御部１７は、バッファ部１４の出力電圧Ｖ４に応じて、複数の付加機能部５，７を互いに異なる制御内容で制御する。より詳細には、制御部１７は、無線部５に対しては、例えば、実施形態１と同様に、バッファ部１４の出力電圧Ｖ４が閾値電圧Ｖref3を超える場合は、通常モードで動作させる。また、制御部１７は、無線部５に対して、バッファ部１４の出力電圧Ｖ４が閾値電圧Ｖref3以下である場合は、動作を制限（例えば停止）する。また、制御部１７は、表示部７に対しては、例えば、バッファ部１４の出力電圧Ｖ４が閾値電圧Ｖref4を超える場合は、表示部７の表示画面の輝度を高輝度で発光させる。また、制御部１７は、表示部７に対して、バッファ部１４の出力電圧Ｖ４が閾値電圧Ｖref4以下である場合は、表示部７の表示画面の輝度を低輝度で発光させる。
【００６７】
本実施形態では、制御部１７は、複数（例えば２つ）の比較回路１７Ａ，１７Ｂを備えている。複数の比較回路１７Ａ，１７Ｂはそれぞれ、複数の付加機能部５，７に対応している。各比較回路１７Ａ，１７Ｂはそれぞれ、２つの入力部と１つの出力部とを備えている。各比較回路１７Ａ，１７Ｂにおいて、一方の入力部は、バッファ部１４の２つの電極のうちの高電位側の電極に接続され、他方の入力部には、対応する閾値電圧Ｖref3，Ｖref4が入力され、出力部は、対応する付加機能部５，７に電気的に接続されている。
【００６８】
本実施形態では、バッファ部１４の出力電圧Ｖ４が閾値電圧Ｖref3を超える場合は、比較回路１７Ａは、無線部５にＨレベル信号を出力し、この信号によって無線部５を通常モードで動作させる。また、バッファ部１４の出力電圧Ｖ４が閾値電圧Ｖref3以下である場合は、比較回路１７Ａは、無線部５にＬレベル信号を出力し、この信号によって無線部５を停止させる。
【００６９】
また、バッファ部１４の出力電圧Ｖ４が閾値電圧Ｖref4を超える場合は、比較回路１７Ｂは、表示部７にＨレベル信号を出力し、この信号によって表示部７の表示画面を高輝度で発光させる。また、バッファ部１４の出力電圧Ｖ４が閾値電圧Ｖref4以下である場合は、比較回路１７Ｂは、表示部７にＬレベル信号を出力し、この信号によって表示部７の表示画面を低輝度で発光させる。表示画面の輝度を低輝度で発光させることで、表示部７の電力消費を低電力化している。
【００７０】
本実施形態によれば、複数の付加機能部５，７が備えられ、複数の付加機能部５，７の各々毎に閾値電圧Ｖref1，Ｖref2が設定されている。このため、複数の付加機能部５，７を備える場合に、各付加機能部５，７の動作を制限する閾値電圧Ｖref1,Ｖref2を付加機能部５，７毎に異ならせることができる。これにより、付加機能部５，７の動作に必要な電圧を個別に考慮して、付加機能部５，７の動作を制限できる。
【００７１】
また、バッファ部１４の出力電圧Ｖ４に基づいて複数の付加機能部５，７が互いに異なる制御内容で制御される。このため、複数の付加機能部５，７の各々を最適な制御内容で制御できる。
【００７２】
なお、本実施形態では、複数の付加機能部５，７として無線部及び表示部を例示するが、複数の付加機能部５，７は、無線部及び表示部に限定されない。
【００７３】
（まとめ）
第１の態様の負荷制御装置（１）は、スイッチング部（２）と、スイッチ制御部（４）と、変換部（１０）と、付加機能部（５，５Ａ，５Ｂ，７）と、バッファ部（１４）と、制御部（１７）と、を備える。スイッチング部（２）は、交流電源（Ｂ１）と負荷（Ｑ１）との間を導通及び遮断することで、交流電源（Ｂ１）から負荷（Ｑ１）への電力の供給を制御して負荷（Ｑ１）を動作及び停止させる。スイッチ制御部（４）は、スイッチング部（２）を制御する。変換部（１０）は、交流電源（Ｂ１）から供給される交流電力を直流電力に変換する。付加機能部（５，５Ａ，５Ｂ，７）は、変換部（１０）で変換された直流電力を用いて動作する。バッファ部（１４）は、変換部（１０）で変換された直流電力によって放電可能に蓄電され、蓄電された電力を前記直流電力として付加機能部（５，５Ａ，５Ｂ，７）に放電可能である。制御部（１７）は、バッファ部（１４）の出力電圧（Ｖ４）に基づいて付加機能部（５，５Ａ，５Ｂ，７）を制御する。
【００７４】
この構成によれば、付加機能部（５，５Ａ，５Ｂ，７）がバッファ部（１４）の出力電圧（Ｖ４）に基づいて制御されるため、バッファ部（１４）の出力電圧（Ｖ４）によって供給される電源電圧が低下して規定電圧（例えばリセット電圧）以下になることを抑制できる。
【００７５】
第２の態様の負荷制御装置（１）では、第１の態様において、制御部（１７）は、バッファ部（１４）の出力電圧（Ｖ４）が低下するに連れて付加機能部（５，５Ａ，５Ｂ，７）の消費電力を低減するように、付加機能部（５，５Ａ，５Ｂ，７）を制御する。
【００７６】
この構成によれば、バッファ部（１４）の出力電圧（Ｖ４）によって供給される電源電圧が低下して規定電圧（例えばリセット電圧）以下になることを抑制できる。
【００７７】
第３の態様の負荷制御装置（１）は、第１又は第２の態様において、付加機能部（５，５Ａ，５Ｂ，７）に供給される直流電力の電流を定電流化する定電流回路（１２）を備える。
【００７８】
この構成によれば、定電流回路（１２）によって付加機能部（５，５Ａ，５Ｂ，７）の消費電流の変動の影響が負荷（Ｑ１）の動作に影響することを抑制できる。これにより、付加機能部（５，５Ａ，５Ｂ，７）の消費電流の変動による負荷（Ｑ１）の誤動作を抑制できる。
【００７９】
第４の態様の負荷制御装置（１）では、第１〜第３の何れか１つの態様において、付加機能部（５，５Ａ，５Ｂ，７）は、外部の通信装置（２０）と無線通信を行う無線部（５，５Ａ，５Ｂ）である。
【００８０】
この構成によれば、無線部（５，５Ａ，５Ｂ）の消費電流の変動の影響が負荷（Ｑ１）の動作に影響することを抑制できる。
【００８１】
第５の態様の負荷制御装置（１）では、第１〜第４の何れか１つの態様において、付加機能部（５，５Ａ，５Ｂ，７）は、複数備えられる。制御部（１７）は、バッファ部（１４）の出力電圧（Ｖ４）に応じて、複数の付加機能部（５Ａ，５Ｂ）のうち、直近に通信を行った一の付加機能部の動作を制限せず、他の付加機能部の動作を制限する。
【００８２】
この構成によれば、直近に通信を行った方の無線部をより長い期間で使用可能である。
【００８３】
第６の態様の負荷制御装置（１）は、第１〜第５の態様の何れか１つの態様において、付加機能部（５，５Ａ，５Ｂ，７）に供給される直流電力の電圧を定電圧化する定電圧回路（１１）を備える。
【００８４】
この構成によれば、定電圧回路（１１）によって付加機能部（５，５Ａ，５Ｂ，７）の電圧変動の影響が負荷（Ｑ１）の動作に影響することを抑制できる。これにより、付加機能部（５，５Ａ，５Ｂ，７）の電圧変動による負荷（Ｑ１）の誤動作を抑制できる。
【００８５】
第７の態様の負荷制御装置（１）では、第１〜第６の態様の何れか１つの態様において、付加機能部（７）は、負荷（Ｑ１）に関する情報を表示部である。
【００８６】
この構成によれば、表示部（７）の消費電力の変動の影響が負荷（Ｑ１）の動作に影響することを抑制できる。
【００８７】
第８の態様の負荷制御装置（１）では、第１〜第７の態様の何れか１つの態様において、制御部（１７）は、バッファ部（１４）の出力電圧（Ｖ４）が閾値電圧（Ｖref，Ｖref1〜Ｖref4）以下である場合は、付加機能部（５，５Ａ，５Ｂ，７）の動作を制限する。
【００８８】
この構成によれば、バッファ部（１４）の出力電圧（Ｖ４）が閾値電圧（Ｖref，Ｖref1〜Ｖref4）以下である場合に付加機能部（５，５Ａ，５Ｂ，７）の動作を制限するため、バッファ部（１４）の出力電圧（Ｖ４）によって供給される電源電圧が低下して規定電圧（例えばリセット電圧）以下になることを抑制できる。
【００８９】
第９の態様の負荷制御装置（１）では、第８の態様において、付加機能部（５，５Ａ，５Ｂ，７）は、供給される直流電力の電圧がリセット電圧以下になると再起動する。閾値電圧（Ｖref，Ｖref1〜Ｖref4）は、前記リセット電圧よりも大きい。
【００９０】
この構成によれば、付加機能部（５，５Ａ，５Ｂ，７）の消費電力の変動によってバッファ部（１４）の出力電圧（Ｖ４）が規定電圧（例えばリセット電圧）以下になることを更に抑制できる。
【００９１】
第１０の態様の負荷制御装置（１）では、第８又は第９の態様において、付加機能部（５，７）は、複数備えられる。閾値電圧（Ｖref3，Ｖref4）は、複数の付加機能部（５，７）の各々毎に設定されている。
【００９２】
この構成によれば、複数の付加機能部（５，７）を備える場合に、各付加機能部（５，７）の動作を制限する閾値電圧（Ｖref3，Ｖref4）を付加機能部（５，７）毎に異ならせることができる。これにより、付加機能部（５，７）の動作に必要な電圧を個別に考慮して、付加機能部（５，７）の動作を制限できる。
【００９３】
第１１の態様の負荷制御装置（１）では、第１〜第１０の態様の何れか１つの態様において、付加機能部（５Ａ，５Ｂ）は、複数備えられている。制御部（１７）は、バッファ部（１４）の出力電圧（Ｖ４）が閾値電圧以下である場合、複数の付加機能部（５Ａ，５Ｂ）のうち、消費電力が一番の大きい付加機能部（５Ａ，５Ｂ）の動作を制限する。
【００９４】
この構成によれば、複数の付加機能部（５Ａ，５Ｂ）のうち、消費電力が一番大きくない他の付加機能部をより長い期間動作させることができる。
【００９５】
第１２の態様の負荷制御装置（１）では、第１〜第１１の態様の何れか１つの態様において、付加機能部（５Ａ，５Ｂ）は、複数備えられている。制御部（１７）は、バッファ部（１４）の出力電圧（Ｖ４）に基づいて複数の付加機能部（５Ａ，５Ｂ）を互いに異なる制御内容で制御する。
【００９６】
この構成によれば、バッファ部（１４）の出力電圧（Ｖ４）に基づいて複数の付加機能部（５Ａ，５Ｂ）の各々を最適な制御内容で制御できる。
【００９７】
第１３の態様の負荷制御装置（１）では、第１〜第１２の態様の何れか１つの態様において、制御部（１７）は、バッファ部（１４）の出力電圧（Ｖ４）に応じて、付加機能部（５）の動作を段階的に制限する。
【００９８】
この構成によれば、付加機能部（５）の動作が息なり完全に停止されることを回避できる。
【００９９】
第１４の態様の負荷制御方法は、スイッチング部（２）と、スイッチ制御部（４）と、変換部（１０）と、変換部（１０）と、付加機能部（５，５Ａ，５Ｂ，７）と、バッファ部（１４）と、制御部（４）と、を備えた負荷制御装置（１）を制御する負荷制御方法である。スイッチング部（２）は、交流電源（Ｂ１）と負荷（Ｑ１）との間を導通及び遮断することで、交流電源（Ｂ１）から負荷（Ｑ１）への電力の供給を制御して負荷（Ｑ１）を動作及び停止させる。制御部（４）は、スイッチング部（２）を制御する。変換部（１０）は、交流電源（Ｂ１）から供給される交流電力を直流電力に変換する。付加機能部（５，５Ａ，５Ｂ，７）は、変換部（１０）で変換された直流電力を用いて動作する。バッファ部（１４）は、変換部（１０）で変換された直流電力によって放電可能に蓄電され、蓄電された電力を直流電力として付加機能部（５，５Ａ，５Ｂ，７）に放電可能である。負荷制御方法は、バッファ部（１４）の出力電圧（Ｖ４）に基づいて付加機能部（５，５Ａ，５Ｂ，７）を制御する制御処理を含む。
【０１００】
この構成によれば、付加機能部（５，５Ａ，５Ｂ，７）がバッファ部（１４）の出力電圧（Ｖ４）に基づいて制御されるため、バッファ部（１４）の出力電圧（Ｖ４）によって供給される電源電圧が低下して規定電圧（例えばリセット電圧）以下になることを抑制できる。
【０１０１】
第１５の態様のプログラムは、コンピュータシステムに、第１４の態様の負荷制御方法を実行させるためのプログラムである。
【０１０２】
この構成によれば、上記の負荷制御方法をプロセッサに実行させるためのプログラムを提供できる。
【符号の説明】
【０１０３】
１  負荷制御装置
２  スイッチング部
４  スイッチ制御部
５，５Ａ，５Ｂ  無線部（付加機能部）
７  表示部（付加機能部）
１０  整流回路（変換部）
１１  定電圧回路
１２  定電流回路
１４  バッファ部
１７  制御部
Ｂ１  交流電源
Ｑ１  負荷
Ｖ４  出力電圧
Ｖref，Ｖref1〜Ｖref4  閾値電圧
【図１】
2020194347.tif 000003
【図２】
2020194347.tif 000004
【図３】
2020194347.tif 000005
【図４】
2020194347.tif 000006
【図５】
2020194347.tif 000007
【図６】
2020194347.tif 000008